Podtech/llm-jp-corpus-v4-ja_patent huggingface dataset:
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
式（I）
【化１】
2020514249.tif 000001
式中、R1、R2、およびR3は、H、SiR4R5R6基、-NH(CO)R7基、または炭化水素の中から独立して選択され、
R4、R5、およびR6は、直鎖もしくは分岐のC1-C6アルキル、またはフェニル基の中から独立して選択され、R7は直鎖または分岐のC1-C12アルキルであるが、
ただし、R1、R2、およびR3の少なくとも1つがSiR4R5R6基である化合物、又は
【化２】
2020514249.tif 000002
から成る群より選ばれる化合物
を含む、炎症性疾患、神経疾患、若しくは神経変性疾患の治療または予防組成物。
【請求項２】
R1およびR2がSiR4R5R6基である、請求項１に記載の組成物。
【請求項３】
R3がH、-NH(CO)R7、及び以下の炭化水素
【化３】
2020514249.tif 000003
R8は、H及び-C(O)-R9から成る群より選択され、R9はC1-C22アルキル及びC1-C22アルケニルから成る群より選ばれる、
から成る群より選ばれる、請求項２に記載の組成物。
【請求項４】
R1およびR3がSiR4R5R6基である、請求項１に記載の組成物。
【請求項５】
R2がH、-NH(CO)R7及び以下の炭化水素
【化４】
2020514249.tif 000004
R8は、H及び-C(O)-R9から成る群より選択され、R9はC1-C22アルキル及びC1-C22アルケニルから成る群より選ばれる、
から成る群より選ばれる、請求項４に記載の組成物。
【請求項６】
R1、R2、およびR3がSiR4R5R6基である、請求項１に記載の組成物。
【請求項７】
R4およびR5がメチル、エチル及びイソプロピルから成る群より選ばれ、R6がtert-ブチル、エチル及びイソプロピルから成る群より選ばれる、請求項１から請求項６のいずれか１項に記載の組成物。
【請求項８】
以下の群：
【化５】
2020514249.tif 000005
【化６】
2020514249.tif 000006
から成る群より選択される、請求項1に記載の組成物。
【請求項９】
神経疾患または神経変性疾患が、アルツハイマー病、パーキンソン病、ハンチントン病、多発性硬化症、筋萎縮性側索硬化症、前頭側頭型認知症、虚血、およびてんかんから成る群より選択される、請求項１から請求項８のいずれか１項に記載の組成物。
【請求項１０】
式（I'）
【化７】
2020514249.tif 000007
式中、R1、R2、およびR3は、H、SiR4R5R6基、-NH(CO)R7基、または炭化水素の中から独立して選択され、
R4、R5、およびR6は、直鎖もしくは分岐のC1-C6アルキル、またはフェニル基から独立して選択され、R7は直鎖または分岐のC1-C12アルキルであるが、ただし、R1、R2、およびR3の少なくとも１つがSiR4R5R6基であり、かつ以下の化合物：
-(E)-(5-(4-(トリメチルシリルオキシ)スチリル)-1,3-フェニレン)ビス(オキシ)ビス(トリメチルシラン)、
-(E)-4-(3,5-ビス(トリイソプロピルシリルオキシ)スチリル)フェノール、
-(E)-3-(tert-ブチルジメチルシリルオキシ)-5-(4-(tert-ブチルジメチルシリルオキシ)スチリル)フェノール、
-(E)-3-(tert-ブチルジメチルシリルオキシ)-5-(4-(tert-ブチルジメチルシリルオキシ)スチリル)フェノール、
-(E)-3-(tert-ブチルジメチルシリルオキシ)-5-(4-ヒドロキシスチリル)フェノール、
-(E)-5-(4-(tert-ブチルジメチルシリルオキシ)スチリル)ベンゼン-1,3-ジオール、
-(E)-(5-(4-(tert-ブチルジメチルシリルオキシ)スチリル)-1,3-フェニレン)ビス(オキシ)ビス(tert-ブチルジメチルシラン)のうちの1つではない、化合物、又は
以下の化合物
【化８】
2020514249.tif 000008
から成る群より選ばれる化合物。
【請求項１１】
R1およびR2がSiR4R5R6基である、請求項１０に記載の化合物。
【請求項１２】
R3がH、-NH(CO)R7及び以下
【化９】
2020514249.tif 000009
R8は、H及び-C(O)-R9から成る群より選択され、R9はC1-C22アルキル及びC1-C22アルケニルから成る群より選ばれる炭化水素、
から成る群より選ばれる、請求項１１記載の化合物。
【請求項１３】
R1およびR3がSiR4R5R6基である、請求項１０に記載の化合物。
【請求項１４】
R2がH、-NH(CO)R7及び以下
【化１０】
2020514249.tif 000010
R8は、H及び-C(O)-R9から成る群より選択され、R9はC1-C22アルキル及びC1-C22アルケニルから成る群より選ばれる炭化水素、
から成る群より選ばれる、請求項１３に記載の化合物。
【請求項１５】
R1、R2、およびR3がSiR4R5R6基である、請求項１０に記載の化合物。
【請求項１６】
R4およびR5がメチル、エチル及びイソプロピルから成る群より選ばれ、R6がtert-ブチル、エチル及びイソプロピルから成る群より選ばれる、請求項１０から請求項１５のいずれか１項に記載の化合物。
【請求項１７】
以下の群：
【化１１】
2020514249.tif 000011
【化１２】
2020514249.tif 000012
から成る群より選択される、請求項１０に記載の化合物。
【請求項１８】
請求項１０から請求項１７のいずれか1項に記載の化合物を含む医薬組成物。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
カンナビジオール（ＣＢＤ）と、Δ−９−テトラヒドロカンナビノール（ＴＨＣ）とを、４０：１〜６０：１の比で含む、医薬組成物。
【請求項２】
前記ＣＢＤ：ＴＨＣの比が、４５：１〜５５：１である、請求項１に記載の組成物。
【請求項３】
前記ＣＢＤ：ＴＨＣの比が、５０：１である、請求項１に記載の組成物。
【請求項４】
前記ＣＢＤおよび前記ＴＨＣが、グレープシードオイル中に配合されている、請求項１〜３のいずれか一項に記載の組成物。
【請求項５】
前記ＣＢＤおよび前記ＴＨＣが、Ｃａｎｎａｂｉｓ  ｓａｔｉｖａ  Ｌ．から得られる、請求項１〜４のいずれか一項に記載の組成物。
【請求項６】
前記ＣＢＤおよび前記ＴＨＣが、それぞれ１００ｍｇ／ｍＬおよび２ｍｇ／ｍＬの濃度で提供される、請求項１〜５のいずれか一項に記載の組成物。
【請求項７】
１種以上の薬学的に許容される担体または賦形剤をさらに含む、請求項１〜６のいずれか一項に記載の組成物。
【請求項８】
てんかんの治療に使用するための、請求項１〜７のいずれか一項に記載の医薬組成物。
【請求項９】
前記組成物が、経口投与又は吸入投与用に製剤化される、請求項８に記載の組成物。
【請求項１０】
前記組成物が、１ｍｇ／ｋｇ／日のＣＢＤ〜１８ｍｇ／ｋｇ／日のＣＢＤの用量で投与される、請求項８又は９のいずれかに記載の組成物。
【請求項１１】
前記組成物が、漸増用量で投与され、前記漸増が、７日ごとに２ｍｇ／ｋｇ／日のＣＢＤである、請求項８〜１０のいずれか一項に記載の組成物。
【請求項１２】
前記対象者に、少なくとも１種のさらなる併用抗てんかん薬（ＡＥＤ）を投与する、請求項８〜１１のいずれか一項に記載の組成物。
【請求項１３】
前記治療が、発作の頻度または重症度を軽減させる、請求項８〜１２のいずれか一項に記載の組成物。
【請求項１４】
前記てんかんが小児てんかんを含む、請求項８〜１３のいずれか１項に記載の組成物。
【手続補正書】
【提出日】令和2年12月2日(2020.12.2)
【手続補正１】
【補正対象書類名】特許請求の範囲
【補正対象項目名】請求項１１
【補正方法】変更
【補正の内容】
【請求項１１】
請求項１〜請求項１０のいずれか一項に記載の化合物を含む、医薬に使用するための医薬組成物。
【手続補正２】
【補正対象書類名】特許請求の範囲
【補正対象項目名】請求項１２
【補正方法】変更
【補正の内容】
【請求項１２】
アテローム性動脈硬化、セリアック病、デューリング−ブロック病（Ｄｕｈｒｉｎｇ−Ｂｒｏｃｑ−ｄｉｓｅａｓｅ）、グルテン失調症、組織線維症、嚢胞性線維症、腎臓線維症、および糖尿病性腎障害、肝線維症、血栓症、ハンチントン病、パーキンソン病、アルツハイマー病、白内障、魚鱗癬、座瘡、乾癬、皮膚の老化、若しくはカンジダ症のいずれかの治療または予防において使用のための医薬組成物であって、
請求項１〜請求項１０のいずれか一項に記載の化合物を含む、医薬組成物。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ウィルソン病（ＷＤ）のための肝臓指向性治療薬として有用な組換えアデノ随伴ウイルス（ｒＡＡＶ）であって、前記ｒＡＡＶが、ＡＡＶカプシドと、その中にパッケージングされたベクターゲノムとを含み、前記ベクターゲノムが、
（ａ）ＡＡＶ  ５’逆位末端リピート（ＩＴＲ）配列と、
（ｂ）プロモーターと、
（ｃ）ヒト銅輸送ＡＴＰａｓｅ  ２（ＡＴＰ７Ｂ）をコードするコーディング配列と、
（ｄ）ＡＡＶ  ３’ＩＴＲと
を含む、前記組換えアデノ随伴ウイルス。
【請求項２】
（ｃ）の前記コーディング配列が配列番号１である、請求項１に記載のｒＡＡＶ。
【請求項３】
前記ｒＡＡＶカプシドが、ＡＡＶ８カプシドまたはそのバリアントである、請求項１または２に記載のｒＡＡＶ。
【請求項４】
前記プロモーターが、ＴＢＧプロモーターまたはＴＢＧ−Ｓ１プロモーターである、先行請求項のいずれかに記載のｒＡＡＶ。
【請求項５】
前記プロモーターがＴＴＲプロモーターである、先行請求項のいずれかに記載のｒＡＡＶ。
【請求項６】
前記プロモーターが、改変されたＴＴＲプロモーターである、先行請求項のいずれかに記載のｒＡＡＶ。
【請求項７】
前記ＡＡＶ  ５’ＩＴＲ及び／またはＡＡＶ３’ＩＴＲが、ＡＡＶ２に由来する、先行請求項のいずれかに記載のｒＡＡＶ。
【請求項８】
前記ベクターゲノムがポリＡを更に含む、先行請求項のいずれかに記載のｒＡＡＶ。
【請求項９】
前記ポリＡが約７５ａａ長である、先行請求項のいずれかに記載のｒＡＡＶ。
【請求項１０】
ＷＰＲＥを更に含む、先行請求項のいずれかに記載のｒＡＡＶ。
【請求項１１】
イントロンを更に含む、先行請求項のいずれかに記載のｒＡＡＶ。
【請求項１２】
前記イントロンが、ヒトベータグロビンＩＶＳ２またはＳＶ４０に由来する、先行請求項のいずれかに記載のｒＡＡＶ。
【請求項１３】
エンハンサーを更に含む、先行請求項のいずれかに記載のｒＡＡＶ。
【請求項１４】
前記エンハンサーが、ＡＰＢエンハンサー、ＡＢＰＳエンハンサー、アルファｍｉｃ／ｂｉｋエンハンサー、ＴＴＲエンハンサー、ｅｎ３４、またはＡｐｏＥエンハンサーである、先行請求項のいずれかに記載のｒＡＡＶ。
【請求項１５】
前記ベクターゲノムが、約３キロベース〜約５．５キロベースのサイズである、先行請求項のいずれかに記載のｒＡＡＶ。
【請求項１６】
ウィルソン病患者への投与に好適な水性サスペンションであって、前記サスペンションが、水性懸濁液と、ウィルソン病のための肝臓指向性治療薬として有用な約１×１０12ＧＣ／ｍＬ〜約１×１０14ＧＣ／ｍＬの組換えアデノ随伴ウイルス（ｒＡＡＶ）とを含み、前記ｒＡＡＶが、ＡＡＶカプシドを有し、かつその中に、
（ａ）ＡＡＶ  ５’逆位末端リピート（ＩＴＲ）配列と、
（ｂ）プロモーターと、
（ｃ）ヒト銅輸送ＡＴＰａｓｅ  ２（ＡＴＰ７Ｂ）をコードするコーディング配列と、
（ｄ）ＡＡＶ  ３’ＩＴＲと
を含むベクターゲノムがパッケージングされている、
前記水性サスペンション。
【請求項１７】
前記サスペンションが静脈内注射に好適である、請求項１６に記載のサスペンション。
【請求項１８】
前記サスペンションが、前記水性懸濁液中に溶解した界面活性剤、保存剤、及び／またはバッファーを更に含む、請求項１６または１７に記載のサスペンション。
【請求項１９】
ウィルソン病を有する患者を請求項１に記載のｒＡＡＶで処置する方法であって、前記ｒＡＡＶが、水性サスペンション中約１×１０12〜約１×１０14ゲノムコピー（ＧＣ）／ｋｇで送達され、前記ＧＣがｏｑＰＣＲまたはｄｄＰＣＲに基づいて決定され計算される、前記方法。
【請求項２０】
前記ベクターゲノムが、配列番号２３、配列番号２４、配列番号２５、配列番号２６、または配列番号２７を含む、請求項１に記載のｒＡＡＶ。
【請求項２１】
前記ｒＡＡＶカプシドがＡＡＶ８カプシドである、請求項１６に記載のサスペンション。
【請求項２２】
Ｅｎ３４．ＴＢＧ−Ｓ１エンハンサー／プロモーターを含む、請求項１に記載のｒＡＡＶ。
【請求項２３】
ウィルソン病の処置を必要とする対象のウィルソン病の処置に使用するための、請求項１〜１５のいずれか１項に記載のｒＡＡＶの使用。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
（ｉ）薄膜ニチノール（ＴＦＮ）マイクロメッシュを含む足場マトリックス内に配置された遺伝的に再プログラムされたリンパ球、（ｉｉ）フィブリンを含むリンパ球接着部分、及び（ｉｉｉ）ＣＤ１３７に特異的な抗体を含むリンパ球活性化部分を含む、リンパ球足場。
【請求項２】
遺伝的に再プログラムされたリンパ球が、Ｔ細胞を含み、リンパ球活性化部分が、ＣＤ３、ＣＤ２８及びＣＤ１３７に特異的な抗体を含む、請求項１に記載のリンパ球足場。
【請求項３】
遺伝的に再プログラムされたリンパ球が、ナチュラルキラー（ＮＫ）細胞を含み、リンパ球活性化部分が、インターロイキン１５、及びＣＤ１３７に特異的な抗体を含む、請求項１に記載のリンパ球足場。
【請求項４】
遺伝的に再プログラムされたリンパ球が、Ｔ細胞及びＮＫ細胞を含み、リンパ球活性化部分が、ＣＤ１３７に特異的な抗体を含む、請求項１に記載のリンパ球足場。
【請求項５】
ＳＴＩＮＧアゴニストをさらに含む、請求項１に記載のリンパ球足場。
【請求項６】
ＳＴＩＮＧアゴニストが、ｃ−ｄｉＧＭＰ、ｃ−ｄｉＡＭＰ、ｃ−ＧＡＭＰ、ｃ−ＡＩＭＰ、（３’，２’）ｃ−ＡＩＭＰ、（２’，２’）ｃ−ＡＩＭＰ、（２’，３’）ｃ−ＡＩＭＰ、ｃ−ＡＩＭＰ（Ｓ）、ｃ−（ｄＡＭＰ−ｄＩＭＰ）、ｃ−（ｄＡＭＰ−２’ＦｄＩＭＰ）、ｃ−（２’ＦｄＡＭＰ−２’ＦｄＩＭＰ）、（２’，３’）ｃ−（ＡＭＰ−２’ＦｄＩＭＰ）、ｃ−［２’ＦｄＡＭＰ（Ｓ）−２’ＦｄＩＭＰ（Ｓ）］、ｃ−［２’ＦｄＡＭＰ（Ｓ）−２’ＦｄＩＭＰ（Ｓ）］（ＰＯＭ）２及び／又はＤＭＸＡＡを含む、請求項５に記載のリンパ球足場。
【請求項７】
請求項１に記載のリンパ球足場を含む、対象におけるエスケープバリアント腫瘍細胞を含む不均一な固形腫瘍を治療するための医薬組成物であって、請求項１に記載のリンパ球足場は、対象における不均一な固形腫瘍の破壊を導くのに十分な不均一な固形腫瘍細胞の近位内に、移植され、それによってエスケープバリアント腫瘍細胞を含む不均一な固形腫瘍を治療する、医薬組成物。
【請求項８】
治療される腫瘍細胞が、副腎がん細胞、脳がん細胞、乳がん細胞、子宮頸がん細胞、結腸がん細胞、大腸がん細胞、耳、鼻及び咽喉（ＥＮＴ）がん細胞、子宮内膜がん細胞、食道がん細胞、消化管がん細胞、グリオーマ細胞、頭頸部がん細胞、腸がん細胞、腎臓がん細胞、肝臓がん細胞、肺がん細胞、リンパ節がん細胞、黒色腫細胞、神経芽腫細胞、卵巣がん細胞、膵臓がん細胞、前立腺がん細胞、直腸がん細胞、セミノーマ細胞、皮膚がん細胞、胃がん細胞、奇形腫細胞、甲状腺がん細胞又は子宮がん細胞である、請求項７に記載の医薬組成物。
【請求項９】
治療される腫瘍細胞が、膠芽腫細胞、膵臓腺がん細胞又は卵巣がん細胞である、請求項７に記載の医薬組成物。
【請求項１０】
対象における固形腫瘍を治療するためのリンパ球足場を形成するためのキットであって、（ｉ）足場マトリックス、及び（ｉｉ）ＣＤ３、ＣＤ２８及びＣＤ１３７に特異的な抗体を含むリンパ球活性化部分を含む、キット。
【請求項１１】
多孔質粒子をさらに含む、請求項１０に記載のキット。
【請求項１２】
リポソームをさらに含む、請求項１０に記載のキット。
【請求項１３】
原細胞をさらに含む、請求項１０に記載のキット。
【請求項１４】
ＳＴＩＮＧアゴニストをさらに含む、請求項１０に記載のキット。
【請求項１５】
ＳＴＩＮＧアゴニストが、ｃ−ｄｉＧＭＰ、ｃ−ｄｉＡＭＰ、ｃ−ＧＡＭＰ、ｃ−ＡＩＭＰ、（３’，２’）ｃ−ＡＩＭＰ、（２’，２’）ｃ−ＡＩＭＰ、（２’，３’）ｃ−ＡＩＭＰ、ｃ−ＡＩＭＰ（Ｓ）、ｃ−（ｄＡＭＰ−ｄＩＭＰ）、ｃ−（ｄＡＭＰ−２’ＦｄＩＭＰ）、ｃ−（２’ＦｄＡＭＰ−２’ＦｄＩＭＰ）、（２’，３’）ｃ−（ＡＭＰ−２’ＦｄＩＭＰ）、ｃ−［２’ＦｄＡＭＰ（Ｓ）−２’ＦｄＩＭＰ（Ｓ）］、ｃ−［２’ＦｄＡＭＰ（Ｓ）−２’ＦｄＩＭＰ（Ｓ）］（ＰＯＭ）２及び／又はＤＭＸＡＡを含む、請求項１４に記載のキット。
【請求項１６】
ＳＴＩＮＧアゴニストが、ｃ−ｄｉＧＭＰを含む、請求項１４に記載のキット。
【請求項１７】
免疫刺激剤をさらに含む、請求項１０に記載のキット。
【請求項１８】
免疫刺激剤が、サイトカイン、抗体、小分子、ｓｉＲＮＡ、プラスミドＤＮＡ及び／又はワクチンアジュバントである、請求項１７に記載のキット。
【請求項１９】
免疫刺激剤が、（ｉ）ＣｐＧ、Ｃｐｇ−２８、ポリ（Ｉ：Ｃ）、α−ガラクトセラミド、ＭＰＬＡ、ＶＴＸ−２３３７、ＥＭＤ１２０１０８１）イミキモド、ＭＧＮ１７０３、Ｇ１００、ＣＢＬＢ５０２、ヒルトノール及びイミキモドから選択されるＴｏｌｌ様受容体リガンド並びに／又は（ｉｉ）１７−ジメチルアミノエチルアミノ−１７−デメトキシゲルダナマイシン）から選択される、請求項１７に記載のキット。
【請求項２０】
リンパ球接着部分としてフィブリンをさらに含む、請求項１０に記載のキット。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
神経障害の治療を必要とする対象において神経障害を治療するのに用いられる組成物であって、SCD阻害剤を含み、SCD阻害剤がタンパク質のミスフォールディング及び/又は凝集に関連した対象の細胞における毒性を抑制する、組成物。
【請求項２】
対象におけるタンパク質のミスフォールディング及び/又は凝集に関連した細胞における毒性を抑制するのに用いられる組成物であって、SCD阻害剤を含む、組成物。
【請求項３】
細胞における毒性が、タンパク質のミスフォールディングに関連したタンパク質凝集に関連している、請求項１又は２に記載の組成物。
【請求項４】
細胞における毒性が、α-シヌクレイン又はApoE4のミスフォールディング及び/又は凝集に関連している、請求項１〜３のいずれか一項に記載の組成物。
【請求項５】
細胞が神経細胞である、請求項１〜４のいずれか一項に記載の組成物。
【請求項６】
神経細胞が、ニューロン又はグリア細胞である、請求項５に記載の組成物。
【請求項７】
α-シヌクレイン、ApoE4及び/又はそれらの望ましくない形態の所定のレベルを超える発現レベルを有する対象において神経障害を治療するのに用いられる組成物であって、SCD阻害剤を含む、組成物。
【請求項８】
α-シヌクレイン、ApoE4又はそれらの望ましくない形態の上昇したレベルを有するか又は該上昇したレベルを有すると予測された対象において神経疾患を治療するのに用いられる組成物であって、SCD阻害剤を含む、組成物。
【請求項９】
対象が、遺伝子マーカーに基づいて、α-シヌクレイン、ApoE4、及び/又はそれらの望ましくない形態の上昇したレベルを有すると予測される、請求項８に記載の組成物。
【請求項１０】
SCD阻害剤がSCD1阻害剤である、請求項１〜９のいずれか一項に記載の組成物。
【請求項１１】
SCD1阻害剤が、SCD5よりもSCD1に対して選択的である、請求項１０に記載の組成物。
【請求項１２】
SCD阻害剤がSCD5阻害剤である、請求項１〜８のいずれか一項に記載の組成物。
【請求項１３】
SCD5阻害剤が、SCD1よりもSCD5に対して選択的である、請求項１２に記載の組成物。
【請求項１４】
対象が、ApoE4対立遺伝子の1又は2つのコピーを保有する、請求項１〜１３のいずれか一項に記載の組成物。
【請求項１５】
SCD阻害剤が、式I〜LXIのいずれか1つの化合物、又は本明細書に記載されているいずれかの化合物である、請求項１〜１４のいずれか一項に記載の組成物。
【請求項１６】
神経障害が、アルツハイマー病(AD)、軽度認知障害(MCI)、脳アミロイド血管症(CAA)、ダウン症候群関連認知症、又は、Aβ42を含むアミロイドプラークの形成もしくは蓄積を特徴とする他の神経変性疾患である、請求項１及び３〜１５のいずれか一項に記載の組成物。
【請求項１７】
神経障害が、AD、パーキンソン病(PD)、レビー小体型認知症、筋萎縮性側索硬化症又はルーゲーリッグ病、アルパース病、リー病、ペリツェウス-メルツバッハ病、オリーブ橋小脳萎縮症、フリードライヒ運動失調症、白質ジストロフィー、レット症候群、ラムゼイハント症候群II型、ダウン症候群、多発性硬化症及び軽度認知障害(MCI)である、請求項１及び３〜１５のいずれか一項に記載の組成物。
【請求項１８】
神経障害がプロテオパチーである、請求項１及び３〜１５のいずれか一項に記載の組成物。
【請求項１９】
プロテオパチーがシヌクレイノパチーである、請求項１８に記載の組成物。
【請求項２０】
シヌクレイノパチーが、パーキンソン病(PD)、レビー小体型認知症、純粋自律神経不全症、多系統萎縮症、偶発的レビー小体病、パントテン酸キナーゼ関連神経変性症、アルツハイマー病、ダウン症候群、ゴーシェ病又はグアム島パーキンソニズム認知症複合である、請求項１９に記載の組成物。
【請求項２１】
プロテオパチーが、AD、アレキサンダー病、筋萎縮性側索硬化症(ALS)、プリオン病、ハンチントン病、マチャド-ジョセフ病、ピック病又は前頭側頭型認知症である、請求項１８に記載の組成物。
【請求項２２】
プリオン病がクロイツフェルト-ヤコブ病である、請求項２１に記載の組成物。
【請求項２３】
神経障害が神経変性障害である、請求項１及び３〜１５のいずれか一項に記載の組成物。
【請求項２４】
神経変性障害が、アルパース病、毛細血管拡張性運動失調症、カナバン病、コケイン症候群、大脳皮質基底核変性症、ケネディ病、クラッベ病、ペリツェウス-メルツバッハ病、原発性側索硬化症、レフサム病、サンドホフ病、シルダー病、スティール-リチャードソン-オルゼウスキー症候群、脊髄癆、血管性認知症又はギラン-バレー症候群である、請求項２３に記載の組成物。
【請求項２５】
神経障害が、ApoE関連神経変性障害である、請求項１及び３〜１５のいずれか一項に記載の組成物。
【請求項２６】
ApoE関連神経変性障害が、AD、血管性認知障害、脳アミロイド血管症、外傷性脳損傷又は多発性硬化症である、請求項２５に記載の組成物。
【請求項２７】
ApoE関連障害がADである、請求項２５又は２６に記載の組成物。
【請求項２８】
組成物が、追加の治療剤と組み合わせて用いられる、請求項１〜２７のいずれか一項に記載の組成物。
【請求項２９】
追加の治療剤が、小分子、抗体もしくはその断片、又は核酸である、請求項２８に記載の組成物。
【請求項３０】
追加の治療剤が、認知増強剤、抗鬱剤、精神安定剤、抗精神病薬、鎮静剤、ドーパミン促進剤又は抗振戦剤である、請求項２８又は２９に記載の組成物。
【手続補正書】
【提出日】令和2年12月29日(2020.12.29)
【手続補正１】
【補正対象書類名】特許請求の範囲
【補正対象項目名】全文
【補正方法】変更
【補正の内容】
【特許請求の範囲】
【請求項１】
相対湿度約0%で、2θに関して7.1°2θ±0.2°2θでピークを含むX線粉末回析パターンを有する、RAD1901-2HClの固形形態。
【請求項２】
相対湿度約0%で、2θに関して7.1°2θ±0.2°2θおよび14.3°2θ±0.2°2θでピークを含むX線粉末回析パターンを有する、請求項１記載の固形形態。
【請求項３】
相対湿度約0%で、2θに関して14.3°2θ±0.2°2θおよび18.3°2θ±0.2°2θからなる群より選択される少なくとも1個のピークをさらに含むX線粉末回析パターンを有する、請求項１記載の固形形態。
【請求項４】
相対湿度約0%で、2θに関して14.3°2θ±0.2°2θ、18.3°2θ±0.2°2θ、13.8°2θ±0.2°2θおよび12.0°2θ±0.2°2θからなる群より選択される少なくとも2個のピークをさらに含むX線粉末回析パターンを有する、請求項１記載の固形形態。
【請求項５】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θおよび18.9°2θ±0.2°2θからなる群より選択される少なくとも3個のピークをさらに含むX線粉末回析パターンを有する、請求項１記載の固形形態。
【請求項６】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θおよび11.0°2θ±0.2°2θからなる群より選択される少なくとも4個のピークをさらに含むX線粉末回析パターンを有する、請求項１記載の固形形態。
【請求項７】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θ、11.0°2θ±0.2°2θおよび16.2°2θ±0.2°2θからなる群より選択される少なくとも4個のピークをさらに含むX線粉末回析パターンを有する、請求項１記載の固形形態。
【請求項８】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θ、11.0°2θ±0.2°2θおよび16.2°2θ±0.2°2θからなる群より選択される少なくとも6個のピークをさらに含むX線粉末回析パターンを有する、請求項１記載の固形形態。
【請求項９】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θ、11.0°2θ±0.2°2θおよび16.2°2θ±0.2°2θからなる群より選択される少なくとも7個のピークをさらに含むX線粉末回析パターンを有する、請求項１記載の固形形態。
【請求項１０】
相対湿度約0%で、2θに関して14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θ、11.0°2θ±0.2°2θおよび16.2°2θ±0.2°2θからなる群より選択される少なくとも8個のピークをさらに含むX線粉末回析パターンを有する、請求項１記載の固形形態。
【請求項１１】
相対湿度約0%で、2θに関して7.1°2θ±0.2°2θ、14.3°2θ±0.2°2θ、18.3°2θ±0.2°2θ、13.8°2θ±0.2°2θ、12.0°2θ±0.2°2θ、25.1°2θ±0.2°2θ、18.9°2θ±0.2°2θ、27.2°2θ±0.2°2θ、11.0°2θ±0.2°2θおよび16.2°2θ±0.2°2θのピークを含むX線粉末回析パターンを有する、請求項１記載の固形形態。
【請求項１２】
相対湿度約0%で実質的に図3Gに示されるX線粉末回析パターンを有する、請求項１記載の固形形態。
【請求項１３】
218.2℃で溶融開始および232.1℃で吸熱ピークを含む示差走査熱量測定(DSC)サーモグラムを有する、RAD1901-2HClの固形形態。
【請求項１４】
実質的に図7の下図に示される示差走査熱量測定(DSC)サーモグラムを有する、請求項１３記載の固形形態。
【請求項１５】
実質的に図7の上グラフに示される熱重量分析(TGA)を有する、RAD1901-2HClの固形形態。
【請求項１６】
請求項１〜１５いずれか一項記載の固形形態および1つ以上の薬学的に許容され得る賦形剤を含む、医薬組成物。
【請求項１７】
RAD1901-2HClおよび溶媒を含む溶液から沈殿させる工程、または溶媒中でRAD1901-2HClをスラリー化する工程を含む、請求項１〜１５いずれか一項記載の固形形態を調製するためのプロセスであって、該溶媒が、メタノールを除く有機溶媒を含み、水分含量が5%v/v以下である、プロセス。
【請求項１８】
該有機溶媒が、n-ヘプタン、酢酸プロピル、酢酸エチル、酢酸イソプロピル、メチルイソブチルケトン(MIBK)、メチルエチルケトン(MEK)、1-プロパノール、エタノール、t-ブチルメチルエーテル(TBME)、1,4-ジオキサン、トルエン、1,2-ジメトキシエタン、テトラヒドロフラン、ジクロロメタン、アセトニトリル、ニトロメタンおよびそれらの混合物からなる群より選択される、請求項１７記載のプロセス。
【請求項１９】
乳癌を治療するための請求項１６記載の医薬組成物。
【請求項２０】
該乳癌がER+である、請求項１９記載の医薬組成物。
【請求項２１】
卵巣癌を治療するための請求項１６記載の医薬組成物。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
コンジュゲートであって、
下記の化学式（Ｉ）に示す構造で表される化合物の薬学的に許容される塩、水和物、溶媒和物、金属キレート、または前記塩の溶媒和物若しくは水和物を含む、下記の化学式（Ｉ）に示す構造を有するコンジュゲート。
【化１】
2020514299.tif 000001
式中、
Ｄは、生体膜を横断して送達される薬物であり、低分子薬物、ペプチド、タンパク質、及び、天然の若しくは修飾された、一本鎖若しくは二本鎖のＤＮＡ若しくはＲＮＡ、ｓｉＲＮＡ、またはＡＳＯからなる群より選択され；
ｙ、ｚ、及びｗは、互いに独立して、０、１、２、３、４、５または６から選択される整数であり、整数が０である場合はそのＥ部分がヌルであることを意味し；ｙ、ｚ、及びｗの少なくとも１つは０ではなく；
Ｅ、Ｅ´、及びＥ´´は、互いに同一であっても異なっていてもよく、互いに独立して、下記の化学式（ＩＩ）に示す構造で表される化合物の薬学的に許容される塩、水和物、溶媒和物、金属キレート、または前記塩の溶媒和物若しくは水和物を含む、下記の化学式（ＩＩ）に示す構造を有する。
【化２】
2020514299.tif 000002
式中、
Ｇ１、Ｇ２、Ｇ３、及びＧ４は、互いに独立して、水素、メチル、及びエチルからなる群より選択され；少なくとも２つのＧ基は水素であり；
Ｚ及びＺ´は、互いに独立して、ヌル、−ＣＨ２、−ＮＨ−、−Ｎ（Ｒ´）−、−Ｃ（Ｈ）（ＣＨ２）ｎ［Ｎ（Ｒ´´）（Ｒ´´´）］−、及び、−Ｎ（Ｒ´）−Ｃ（Ｏ）−Ｃ（Ｈ）（ＣＨ２）ｎ［Ｎ（Ｒ´´）（Ｒ´´´）］−からなる群より選択され；Ｒ´、Ｒ´´、及びＲ´´´は、互いに独立して、水素、Ｃ１、Ｃ２、Ｃ３、Ｃ４アルキル、及び、Ｃ１、Ｃ２、Ｃ３、Ｃ４アルキルアミンからなる群より独立して選択され；アミンは、第一級、第二級、または第三級アミンであり；ｎは、０、１、２、３、または４から選択される整数であり；ｎ＝０はヌルを意味し；Ｚ及びＺ´の少なくとも１つはアミンであり；
Ｌはリンカーであり、ヌル、エーテル、アミド、エステル、炭酸塩、カルバメート基、１〜４個の炭素原子を各々含みかつ任意選択でヒドロキシルまたはアミン基によって置換される１個または２個の炭化水素鎖、または、これらの任意の組み合わせから選択され；
Ｋは、ヌル、−ＣＨ−、及び−Ｎ−から選択され；
ａは、０、１、２、３、及び４からなる群より選択された整数であり；
ｂは、０、１、２、３、及び４からなる群より選択された整数であり；
ｃは、１、２、３、及び４からなる群より選択された整数であり；
ｄは、２、３、及び４からなる群より選択された整数であり；
ｅ及びｆは、互いに独立して、０、１、２、及び３からなる群より選択された整数であり；
＊は、水素、Ｄへの結合点、アルコールの保護基への結合点、リン酸、硫酸またはカルボキシル基への結合点、及び、固体支持体への結合点からなる群より選択される。
【請求項２】
請求項１に記載のコンジュゲートであって、
前記Ｅ、Ｅ´、及びＥ´´の少なくとも１つが、下記の化学式（ＩＩＩ）に示す構造で表される化合物の薬学的に許容される塩、水和物、溶媒和物、金属キレート、または前記塩の溶媒和物若しくは水和物を含む、下記の化学式（ＩＩＩ）に示す構造を有する、コンジュゲート。
【化３】
2020514299.tif 000003
式中、Ｚ´、Ｒ´、Ｌ、Ｇ３、Ｇ４、ａ、ｂ、ｃ、及び＊はそれぞれ、化学式（ＩＩ）で定義したとおりである。
【請求項３】
請求項１に記載のコンジュゲートであって、
前記Ｅ、Ｅ´、及びＥ´´の少なくとも１つが、下記の化学式（ＩＶ）または（ＩＶａ）に示す構造で表される化合物の薬学的に許容される塩、水和物、溶媒和物、金属キレート、または前記塩の溶媒和物若しくは水和物を含む、下記の化学式（ＩＶ）または（ＩＶａ）に示す構造を有する、コンジュゲート。
【化１０】
2020514299.tif 000004
【化１１】
2020514299.tif 000005
【請求項４】
請求項１に記載のコンジュゲートであって、
前記Ｅ、Ｅ´、及びＥ´´の少なくとも１つが、下記の化学式（Ｖ）または（Ｖａ）に示す構造で表される化合物の薬学的に許容される塩、水和物、溶媒和物、金属キレート、または前記塩の溶媒和物若しくは水和物を含む、下記の化学式（Ｖ）または（Ｖａ）に示す構造を有する、コンジュゲート。
【化４】
2020514299.tif 000006
【化１２】
2020514299.tif 000007
【請求項５】
請求項１に記載のコンジュゲートであって、
前記Ｅ、Ｅ´、及びＥ´´の少なくとも１つが、下記の化学式（ＶＩ）に示す構造で表される化合物の薬学的に許容される塩、水和物、溶媒和物、金属キレート、または前記塩の溶媒和物若しくは水和物を含む、下記の化学式（ＶＩ）に示す構造を有する、コンジュゲート。
【化５】
2020514299.tif 000008
式中、Ｒ´、Ｇ３、Ｇ４、ａ、ｂ、ｃ、及び＊は、それぞれ、化学式（ＩＩ）で定義したとおりである。
【請求項６】
請求項５に記載のコンジュゲートであって、
前記Ｅ、Ｅ´、及びＥ´´の少なくとも１つが、下記の化学式（ＶＩＩ）または（ＶＩＩａ）に示す構造で表される化合物の薬学的に許容される塩、水和物、溶媒和物、金属キレート、または前記塩の溶媒和物若しくは水和物を含む、下記の化学式（ＶＩＩ）または（ＶＩＩａ）に示す構造を有する、コンジュゲート。
【化６】
2020514299.tif 000009
【化７】
2020514299.tif 000010
【請求項７】
請求項１に記載のコンジュゲートであって、
前記Ｅ、Ｅ´、及びＥ´´の少なくとも１つが、下記の化学式（ＶＩＩＩ）または（ＶＩＩＩａ）に示す構造で表される化合物の薬学的に許容される塩、水和物、溶媒和物、金属キレート、または前記塩の溶媒和物若しくは水和物を含む、下記の化学式（ＶＩＩＩ）または（ＶＩＩＩａ）に示す構造を有する、コンジュゲート。
【化８】
2020514299.tif 000011
【化９】
2020514299.tif 000012
【請求項８】
薬学的組成物であって、
請求項１ないし７のいずれかに記載のコンジュゲートと、
薬学的に許容される塩または担体とを含む、薬学的組成物。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
高度に浸食性又は腐食性の環境に使用するようになり構造的支持本体を備えている産業構成要素であって、
１又は２以上の保護層が、前記構造的支持本体の少なくとも一部分に重なり、サファイア、単結晶酸化アルミニウム、ＭｇＰＳＺ、窒化珪素、ＹＴＺ、及び部分安定化ジルコニアで構成された群から選択された高度に耐浸食性又は耐腐食性のセラミックから作られ、
１又は２以上の接合層が、前記１又は２以上の保護層を前記構造的支持本体の少なくとも一部分に接合し、
前記１又は２以上の接合層の各々が、金属アルミニウムを含む、
ことを特徴とする産業構成要素。
【請求項２】
前記構造的支持本体は、アルミナを含む、
請求項１に記載の産業構成要素。
【請求項３】
前記１又は２以上の保護層は、サファイアを含む、
請求項２に記載の産業構成要素。
【請求項４】
前記接合層は、９９重量％よりも多い金属アルミニウムを含む、
請求項１または２に記載の産業構成要素。
【請求項５】
前記産業構成要素が水圧破砕システムの等圧交換器のための回転シャフトであって、
前記構造的支持体が、端部を有する円筒形ポンプシャフトであり、
前記１又は２以上の保護層が、前記円筒形ポンプシャフトの端部の少なくとも一部分を覆う末端キャップである、
請求項１に記載の産業構成要素。
【請求項６】
前記円筒形ポンプシャフトが、その長さの大半にわたる第１の直径と、前記端部での第２の直径とを更に有し、前記第２の直径は、前記第１の直径よりも短い、
請求項５に記載の回転子シャフト。
【請求項７】
前記末端キャップは、円筒形シェルを含み、
前記末端キャップの外径が、前記第１の直径である、
請求項５に記載の回転子シャフト。
【請求項８】
前記末端キャップは、前記円筒形シェルに結合された円形末端プレートを更に含む、
請求項７に記載の回転子シャフト。
【請求項９】
高度に浸食性又は腐食性の環境に使用するための産業構成要素を製造する方法であって、
サファイア、単結晶酸化アルミニウム、ＭｇＰＳＺ、窒化珪素、ＹＴＺ、及び部分安定化ジルコニアで構成される群から選択された高度に耐浸食性又は耐腐食性のセラミックの１又は２以上の摩耗表層を産業構成要素主支持本体の一部分の上に、金属アルミニウムを含む１又は２以上のろう付け層を前記１又は２以上の摩耗表層と前記主支持本体の間において配置する段階と、
事前ろう付けサブアセンブリを処理チャンバの中におく段階と、
前記処理チャンバから酸素を除去する段階と、
摂氏７７０度よりも高い温度まで加熱することによって前記摩耗表層を前記主支持本体に接合し、それによって気密接合部を用いて前記摩耗表層を前記主支持本体に接合する段階と、
を含むことを特徴とする方法。
【請求項１０】
前記処理チャンバから酸素を除去する段階は、前記構成要素の加熱中に１ｘ１０Ｅ−４よりも低い圧力まで真空を印加する段階を含む、
請求項９に記載の方法。
【請求項１１】
前記主支持本体は、窒化アルミニウムおよびアルミナからなる群から選択される、
請求項１０に記載の方法。
【請求項１２】
前記ろう付け層は、９９重量％よりも多い金属アルミニウムを含む、
請求項９に記載の方法。
【手続補正書】
【提出日】令和3年3月5日(2021.3.5)
【手続補正１】
【補正対象書類名】明細書
【補正対象項目名】０００７
【補正方法】変更
【補正の内容】
【０００７】
ヘッドマウント・ライトフィールド・ディスプレイは、異なる奥行きの３Ｄ場面の投影または３Ｄ場面によって放射され且つ異なる眼位から観察されると考えられる光線の方向のいずれかをサンプリングすることにより、真の３Ｄ場面をレンダリングする。それらのディスプレイは、適正なまたはほぼ適正な焦点手がかりをレンダリングし、従来のＶＲおよびＡＲディスプレイの適合的眼球離反運動の不一致問題に対処することができる。例えば、インテグラルイメージング（ＩｎＩ）ベースのディスプレイは、一見したところ３Ｄ場面によって放射され且つ異なる眼位から観察されると考えられる光線の方向を角度別にサンプリングすることにより、３Ｄ場面のライトフィールドを再構築する。図２に例示されるように、簡単なＩｎＩベースのディスプレイは、典型的には、表示パネルと、マイクロレンズアレイ（ｍｉｃｒｏｌｅｎｓ  ａｒｒａｙ：ＭＬＡ）またはピンホールアレイである２Ｄアレイとを含む。ディスプレイは、２Ｄ要素画像の組をレンダリングし、その各々は、３Ｄ場面の異なる視点を表す。要素画像の対応する画素によって放射された円錐状の光線束は交差して光を放射し、３Ｄ空間を占めるように見える３Ｄ場面の知覚を一体化して作り上げる。２Ｄアレイを使用したＩｎＩベースのディスプレイは、水平方向と垂直方向との両方における全方向視差情報を有する３Ｄ形状の再構築を可能にし、それが、一次元視差バリアまたは円筒状のレンチキュラーレンズを使用した水平視差のみを有する従来のオート・ステレオスコピック・ディスプレイとの主な違いである。１９０８年のＬｉｐｐｍａｎｎによるその刊行物以来、ＩｎＩベースの技法は、実際の場面のライトフィールドの捕捉と、アイウェア・フリー・オート・ステレオスコピック・ディスプレイにおけるその使用との両方に対して幅広く探究されてきた。ＩｎＩベースの技法は、低い横分解能および縦分解能、狭い被写界深度（ｄｅｐｔｈ  ｏｆ  ｆｉｅｌｄ：ＤＯＦ）、並びに狭い視野角におけるその制限で知られている。他の全ての非ステレオスコピック３Ｄディスプレイ技法と比べて、ＩｎＩ技法の簡単な光学アーキテクチャは、ＨＭＤ光学システムと統合して着用可能なライトフィールドディスプレイを作成するという魅力を有する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１２／０１６２５４９号明細書
（特許文献２）  米国特許出願公開第２０１６／００８５０７５号明細書
（特許文献３）  国際公開第２０１６／０３３３１７号
（特許文献４）  米国特許出願公開第２０１５／０１６８８０２号明細書
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
医用画像及び関連情報を記憶された医療ガイドラインと比較し、前記比較に基づいて、前記医療ガイドラインからのずれ又は逸脱を識別するように構成される１又は複数のプロセッサを有する解析ユニットを具備し、前記記憶された医療ガイドラインは、前記医用画像及び関連情報を前記医療ガイドラインの識別情報と比較することに基づいて、複数の記憶された医療ガイドラインの中から選択される、システム。
【請求項２】
ネットワークを介して送信される前記医用画像及び関連情報をキャプチャし読み込み、前記医用画像及び関連情報を前記解析ユニットに通信するように構成される１又は複数のプロセッサを有するネットワーク解析器を更に具備する、請求項１に記載のシステム。
【請求項３】
識別された前記医療ガイドラインからのずれ又は逸脱を表示装置に表示するように構成される１又は複数のプロセッサを有するダッシュボードユニットを更に具備する、請求項１又は２に記載のシステム。
【請求項４】
前記解析ユニットは、
不正確な撮像プロトコル選択、不正確なスキャンパラメータ、患者に対して繰り返されるスキャンデータ取得、患者に対する欠けているスキャンデータ取得、不正確な画像再構成、不正確な患者ポジショニング、再構成画像の不正確なルーティング、及び繰り返される撮像スキャンプロシージャを含む複数のずれ又は逸脱をサーチし、
不正確な撮像プロトコルの選択、不正確なスキャンパラメータ、患者に対し繰り返されるスキャンデータ取得、患者に対する欠如したスキャンデータ取得、不正確な画像再構成、不正確な患者ポジショニング、再構成画像の不正確なルーティング、繰り返される撮像スキャンプロシージャ、を含む群から選択される少なくとも１つを含むずれ又は逸脱を識別する、
請求項１乃至３のいずれか１項に記載のシステム。
【請求項５】
前記医療ガイドラインは、医用撮像装置のための１又は複数のスキャンパラメータを含む、請求項１乃至４のいずれか１項に記載のシステム。
【請求項６】
前記医用画像及び関連情報が、遡及的に解析される画像記憶サブシステムに記憶された、過去に送信された医用画像及び関連情報を含む、請求項１乃至５のいずれか１項に記載のシステム。
【請求項７】
医用画像及び関連情報を、記憶された医療ガイドラインと比較するステップと、
前記比較に基づいて、前記医療ガイドラインからのずれ又は逸脱を識別するステップと、
を有し、前記記憶された医療ガイドラインは、前記医用画像及び関連情報を前記医療ガイドラインの識別情報と比較することに基づいて、複数の記憶された医療ガイドラインの中から選択される、方法。
【請求項８】
ネットワークを介して送信された前記医用画像及び関連情報をキャプチャし読み込むステップを更に含む、請求項７に記載の方法。
【請求項９】
識別された前記医療ガイドラインからのずれ又は逸脱を表示装置に表示するステップを更に含む、請求項７又は８に記載の方法。
【請求項１０】
前記比較するステップは、複数のずれ又は逸脱をサーチするステップを含み、
前記識別されるずれ又は逸脱は、不正確な撮像プロトコルの選択、不正確なスキャンパラメータ、患者について繰り返されるスキャンデータ取得、患者に関する欠如するスキャンデータ取得、不正確な画像再構成、不正確な患者ポジショニング、再構成された画像に関する不正確なルーティング、及び繰り返される撮像スキャンプロシージャ、を含む群から選択される少なくとも１つを含む、請求項７乃至９のいずれか１項に記載の方法。
【請求項１１】
前記医療ガイドラインは、医用撮像装置の１又は複数のスキャンパラメータを含む、請求項９又は１０に記載の方法。
【請求項１２】
医用画像及び関連情報を、記憶された医用ガイドラインと比較するステップと、
前記比較に基づいて、前記医療ガイドラインからのずれ又は逸脱を識別するステップと、
を実行するように１又は複数のプロセッサを制御する命令を担持し、前記記憶された医療ガイドラインは、前記医用画像及び関連情報を前記医療ガイドラインの識別情報と比較することに基づいて、複数の記憶された医療ガイドラインの中から選択される、非一時的コンピュータ可読記憶媒体。
【請求項１３】
前記１又は複数のプロセッサが更に、ネットワークを介して、送信された前記医用画像及び関連情報をキャプチャし読み込むように制御される、請求項１２に記載の非一時的コンピュータ可読記憶媒体。
【請求項１４】
前記１又は複数のプロセッサが更に、識別された前記医療ガイドラインからのずれ又は逸脱を表示装置に表示するように制御される、請求項１２又は１３に記載の非一時的コンピュータ可読記憶媒体。
【請求項１５】
前記１又は複数のプロセッサが更に、前記医療ガイドラインからの識別されたずれ又は逸脱を表示装置に表示するように制御される、請求項１２乃至１４のいずれか１項に記載の非一時的コンピュータ可読記憶媒体。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
電子プロセッサと、
画像再構成方法を行うように、前記電子プロセッサによって読み取り可能かつ実行可能である命令を記憶する非一時的記憶媒体と、
を含む、核医学画像再構成デバイスであって、
前記画像再構成方法は、
核医学撮像データに、更新画像のシーケンスを生成する反復画像再構成を行うことによって、再構成画像を生成するステップと、
前記反復画像再構成中に標準取込値（ＳＵＶ）変換を適用して、前記更新画像を更新ＳＵＶ画像に変換するステップと、
前記更新ＳＵＶ画像を使用して、前記反復画像再構成の少なくとも１つのパラメータを調整するステップと、
を含み、
前記ＳＵＶ変換は、少なくともボディサイズメトリック及び線量メトリックを含むスケーリング係数を使用して、前記更新画像のボクセル値をＳＵＶ値にスケーリングするように動作する、
核医学画像再構成デバイス。
【請求項２】
前記調整するステップは、前記反復画像再構成に使用される先見情報又はフィルタのパラメータを調整するステップを含む、請求項１に記載の核医学画像再構成デバイス。
【請求項３】
前記調整するステップは、前記反復画像再構成に使用される前記先見情報又は前記フィルタのエッジ保存閾値を調整するステップを含む、請求項２に記載の核医学画像再構成デバイス。
【請求項４】
前記先見情報又は前記フィルタの前記エッジ保存閾値は、前記更新ＳＵＶ画像の局所ボクセル値に基づいて局所的に調整される、請求項３に記載の核医学画像再構成デバイス。
【請求項５】
前記更新ＳＵＶ画像を使用して、前記反復画像再構成の少なくとも１つのパラメータを調整するステップは、
前記反復画像再構成の反復画像再構成更新ステップ中に適用される先見情報又はフィルタの少なくとも１つのパラメータを調整するステップを含む、請求項１から４の何れか一項に記載の核医学画像再構成デバイス。
【請求項６】
前記更新ＳＵＶ画像を使用して、前記反復画像再構成の少なくとも１つのパラメータを調整するステップは、
前記反復画像再構成中に生成される更新画像に適用されるフィルタの少なくとも１つのパラメータを調整するステップを含む、請求項１から５の何れか一項に記載の核医学画像再構成デバイス。
【請求項７】
前記スケーリング係数は、線量減衰時間間隔について計算された線量減衰を更に含む、請求項１から６の何れか一項に記載の核医学画像再構成デバイス。
【請求項８】
前記更新画像は、カウント数を単位とし、前記画像再構成方法は更に、前記反復画像再構成の完了後に、
前記ＳＵＶ変換を使用して、前記再構成画像を再構成ＳＵＶ画像に変換するステップを含む、請求項１から７の何れか一項に記載の核医学画像再構成デバイス。
【請求項９】
前記ＳＵＶ変換は、各更新画像を変換するために適用され、これにより、前記反復画像再構成は、ＳＵＶを単位とする前記再構成画像を生成するように動作する、請求項１から７の何れか一項に記載の核医学画像再構成デバイス。
【請求項１０】
核医学撮像データを取得する核医学撮像データ取得デバイスと、
前記核医学撮像データ取得デバイスによって取得された前記核医学撮像データから再構成画像を生成するように動作可能に接続されている、請求項１から９の何れか一項に記載の前記核医学画像再構成デバイスと、
前記再構成画像を表示するように前記核医学画像再構成デバイスの前記電子プロセッサに動作可能に接続されているディスプレイと、
を含む、核医学撮像デバイス。
【請求項１１】
画像再構成方法を行うように電子プロセッサによって読み取り可能及び実行可能である命令を記憶する非一時的記憶媒体であって、
前記画像再構成方法は、
核医学撮像データに、更新画像のシーケンスを生成する反復画像再構成を行うことによって再構成画像を生成するステップと、
前記反復画像再構成中に標準取込値（ＳＵＶ）変換を適用して、前記更新画像を更新ＳＵＶ画像に変換するステップと、
前記反復画像再構成中に、前記更新ＳＵＶ画像を使用して、前記反復画像再構成の画像更新に使用される少なくとも１つのパラメータを調整するステップと、
を含み、
前記ＳＵＶ変換は、少なくともボディサイズメトリック及び線量メトリックを含むスケーリング係数を使用して、前記更新画像のボクセル値をＳＵＶ値にスケーリングするように動作する、非一時的記憶媒体。
【請求項１２】
前記調整するステップは、
前記更新ＳＵＶ画像を使用して、前記反復画像再構成の反復画像再構成更新ステップ中に適用される先見情報又はフィルタの少なくとも１つのパラメータを調整するステップを含む、請求項１１に記載の非一時的記憶媒体。
【請求項１３】
前記調整するステップは、
前記更新ＳＵＶ画像を使用して、前記反復画像再構成中に生成される更新画像に適用されるフィルタの少なくとも１つのパラメータを調整するステップを含む、請求項１１又は１２に記載の非一時的記憶媒体。
【請求項１４】
前記調整するステップは、前記更新ＳＵＶ画像の局所ボクセル値に基づいて、先見情報又はフィルタのパラメータを局所的に調整するステップを含む、請求項１１から１３の何れか一項に記載の非一時的記憶媒体。
【請求項１５】
前記先見情報又は前記フィルタは、前記反復画像再構成の反復画像再構成更新ステップに組み込まれた相対的差異先見情報（ＲＤＰ）であり、前記調整するステップは、前記ＲＤＰのエッジ保存閾値を調整するステップを含む、請求項１４に記載の非一時的記憶媒体。